(57)【要約】【課題】液晶表示装置やグラフィックコントローラからのノイズにより、無線ＬＡＮの品質が落ちないようにした通信装置を提供する。【解決手段】液晶表示装置２４と無線ＬＡＮカード２２、アンテナ２６を有する通信装置１０において、無線ＬＡＮ通信に用いるチャネルの周波数と、映像信号の周波数の高調波が重なるときには、映像信号の周波数をずらして、データの転送を行うものである。【選択図】      図１
2007043246.tif 000002
【特許請求の範囲】
【請求項１】
液晶表示装置と、
データを無線ＬＡＮアンテナを介して無線通信する無線ＬＡＮ装置と、
前記液晶表示装置に映像信号とこの映像信号に関連する基準信号とを出力する映像処理手段と、
前記無線ＬＡＮ装置が無線通信に使用しているチャネルの周波数と前記基準信号の周波数の整数倍した周波数が略一致している場合、前記映像処理手段の前記基準信号の周波数を変更させる制御手段と、
を具備した
ことを特徴とする通信装置。
【請求項２】
前記無線ＬＡＮ装置は、前記使用するチャネルが変更される毎に、前記制御手段へ前記チャネルに関する通信情報を出力する
ことを特徴とする請求項１記載の通信装置。
【請求項３】
前記制御手段は、所定時間毎に前記チャネルに関する通信情報と前記基準信号情報を取得する
ことを特徴とする請求項１記載の通信装置。
【請求項４】
前記液晶表示装置の裏面に前記無線ＬＡＮアンテナが配置されている
ことを特徴とする請求項１記載の通信装置。
【請求項５】
前記映像処理手段は、前記基準信号の周波数を０．１ＭＨｚ〜２．０ＭＨｚずらす
ことを特徴とする請求項１記載の通信装置。
【請求項６】
前記基準信号が、前記映像信号のクロック信号、または、水平同期信号と垂直同期信号である
ことを特徴とする請求項１記載の通信装置。
【請求項７】
液晶表示装置と、
データを無線ＬＡＮアンテナを介して無線通信する無線ＬＡＮ装置と、
前記液晶表示装置に映像信号とこの映像信号に関連する基準信号とを出力する映像処理手段と、
を有する通信装置の通信方法において、
前記無線ＬＡＮ装置が無線通信に使用しているチャネルの周波数と前記基準信号の周波数の整数倍した周波数が略一致している場合、前記映像処理手段の前記基準信号の周波数を変更させる
ことを特徴とする通信装置の通信方法。
【請求項８】
液晶表示装置と、
データを無線ＬＡＮアンテナを介して無線通信する無線ＬＡＮ装置と、
前記液晶表示装置に映像信号とこの映像信号に関連する基準信号とを出力する映像処理手段と、
を有する通信装置の通信プログラムにおいて、
前記無線ＬＡＮ装置が無線通信に使用しているチャネルの周波数と前記基準信号の周波数の整数倍した周波数が略一致している場合、前記映像処理手段の前記基準信号の周波数を変更させる機能と、
をコンピュータによって実現する
ことを特徴とする通信装置の通信プログラム。
【発明の詳細な説明】
【技術分野】
【０００１】
本発明は、無線ＬＡＮ装置を有した通信装置に関するものである。
【背景技術】
【０００２】
最近は、家庭内や会社内に限らず、駅や飛行場や飲食店等においても無線ＬＡＮを使用できるアクセスポイントが多数設けられてきている。
【０００３】
この無線ＬＡＮの規格としては、例えばＩＥＥＥ８０２．１１ｂなどが用いられている。この無線ＬＡＮは、Ｂｌｕｅｔｏｏｔｈ等とは異なり、スペクトル拡散通信における多重接続を利用していないため、回線の切り換えは周波数（チャネル）とＥＳＳ−ＩＤ（Ｅｘｔｅｎｄｅｄ  Ｓｅｒｖｉｃｅ  Ｓｅｔ−ＩＤｅｎｔｉｆｉｅｒ）の２つで判断される。つまり、同じチャネルで同じＥＳＳ−ＩＤを利用している無線ＬＡＮの通信装置同士が同一のネットワークを形成していると言える。このＥＳＳ−ＩＤはアクセスポイント毎に設定しておく文字列で、接続対象を識別するために利用されている。
【０００４】
ところで、多数の通信装置が存在している場合に互いの信号同士の干渉を防止するために、無線で使用している周波数を変更させることが一般的に行われている（例えば、特許文献１参照）。
【特許文献１】特開２００４−２２８９２７号公報
【発明の開示】
【発明が解決しようとする課題】
【０００５】
上記のような無線ＬＡＮを用いたノート型パーソナルコンピュータ（以下、ノートＰＣという）においては、無線ＬＡＮのアンテナを液晶表示装置の上辺あるいは左右に配置するのが一般的である。このアンテナがダイバーシティ方式の場合は複数のアンテナを配置して、その時々で通信環境の良好なアンテナを選択して通信している。そして、無線ＬＡＮの周波数は規格によって異なるが、ある周波数帯に数ＭＨｚ〜数十ＭＨｚの間隔で複数のチャネルが割り当てられている。
【０００６】
一方、ノートＰＣでは、液晶表示装置やグラフィックコントローラから特定の周波数帯に大きなノイズが発生する。特に、グラフィックコントローラから出力されるクロック信号の周波数の整数倍に大きなノイズが現れる。
【０００７】
クロック信号の周波数の整数倍に現れる大きなノイズと、無線ＬＡＮで使用される特定のチャネルの周波数が近いとアンテナにノイズが重畳され通信品位に大きく影響する。
【０００８】
従来は、これを回避するために、無線ＬＡＮ装置から送られる転送速度を落とすことで通信の品位を保っている。しかしながら、通信速度を落とすと、データの送受信が遅くなるという問題点がある。
【０００９】
そこで、本発明は上記問題点に鑑み、液晶表示装置やグラフィックコントローラからのノイズにより、無線ＬＡＮの品質が落ちないようにした通信装置を提供する。
【課題を解決するための手段】
【００１０】
請求項１に係る発明は、液晶表示装置と、データを無線ＬＡＮアンテナを介して無線通信する無線ＬＡＮ装置と、前記液晶表示装置に映像信号とこの映像信号に関連する基準信号とを出力する映像処理手段と、前記無線ＬＡＮ装置が無線通信に使用しているチャネルの周波数と前記基準信号の周波数の整数倍した周波数が略一致している場合、前記映像処理手段の前記基準信号の周波数を変更させる制御手段と、を具備したことを特徴とする通信装置である。
【００１１】
請求項７に係る発明は、液晶表示装置と、データを無線ＬＡＮアンテナを介して無線通信する無線ＬＡＮ装置と、前記液晶表示装置に映像信号とこの映像信号に関連する基準信号とを出力する映像処理手段と、を有する通信装置の通信方法において、前記無線ＬＡＮ装置が無線通信に使用しているチャネルの周波数と前記基準信号の周波数の整数倍した周波数が略一致している場合、前記映像処理手段の前記基準信号の周波数を変更させることを特徴とする通信装置の通信方法
である。
【００１２】
請求項８に係る発明は、液晶表示装置と、データを無線ＬＡＮアンテナを介して無線通信する無線ＬＡＮ装置と、前記液晶表示装置に映像信号とこの映像信号に関連する基準信号とを出力する映像処理手段と、を有する通信装置の通信プログラムにおいて、前記無線ＬＡＮ装置が無線通信に使用しているチャネルの周波数と前記基準信号の周波数の整数倍した周波数が略一致している場合、前記映像処理手段の前記基準信号の周波数を変更させる機能と、をコンピュータによって実現することを特徴とする通信装置の通信プログラムである。
【発明の効果】
【００１３】
本発明の通信装置であると、液晶表示装置に用いられるクロック信号の周波数の整数倍と、チャネルの周波数とが略重なってノイズが発生する場合には、クロック信号の周波数をずらすことにより、クロック信号による通信への影響を除去できる。そのため、通信の品位を保持できると共に、従来のように通信速度が落ちたりすることがない。
【発明を実施するための最良の形態】
【００１４】
以下、本発明の一実施形態の通信装置１０について、図１〜図６に基づいて説明する。
【００１５】
（１）通信装置１０の構造
通信装置１０は、図２に示すようにノートＰＣであり、本体１２に対し蓋１４が折り畳み可能となっている。本体１２の上面には、キーボードなどの入力部１６が設けられ、本体１２の内部には、ＣＰＵからなる情報処理部１８、グラフィックコントローラ２０、ハードディスクやメモリなどの記憶部２１が内蔵されている。また、本体１２の右側面から着脱自在に無線ＬＡＮカード２２が挿入されている。
【００１６】
蓋１４には、液晶表示装置２４が内蔵され、図示せぬコードを使ってグラフィックコントローラ２０と接続されている。また、液晶表示装置２４の裏面と蓋１４との間の上辺の左右には、無線ＬＡＮに使用されるアンテナ２６、２６が内蔵されている。このアンテナ２６は、ダイバーシティ方式のアンテナであって、無線ＬＡＮカード２２とＩ／Ｆケーブル２８によって接続されている。
【００１７】
（２）グラフィックコントローラ２０と無線ＬＡＮカード２２と液晶表示装置２４の構造
グラフィックコントローラ２０、無線ＬＡＮカード２２及び液晶表示装置２４の電気的構成について図１に基づいて説明する。
【００１８】
グラフィックコントローラ２０は、情報処理部１８と接続するためのインターフェース３０と、ＣＰＵからなる映像信号処理部３２とＬＶＤＳ（映像信号）トランスミッター３４とからなる。そして、情報処理部１８から出力された信号に基づいて映像信号処理部３２が映像信号を処理し、ＬＶＤＳトランスミッター３４によって変換されＩ／Ｆケーブル２８を通じて映像を再生するために必要なクロック信号及び映像信号を出力する。この映像信号は、デジタル信号である。
【００１９】
液晶表示装置２４は、ＬＶＤＳレシーバー３６とタイミングコントローラ３８とドライバー４０と液晶パネル４２とからなる。そして、このドライバー４０は、液晶パネル４２に設けられている各画素に接続された信号線及びゲート線に映像信号及びゲート信号を出力するものであり、タイミングコントローラ３８はドライバー４０に垂直同期信号、水平同期信号、デジタル映像信号、水平、垂直スタート信号等を出力している。このタイミングコントローラ３８には、グラフィックコントローラ２０から出力されたタイミング信号及び映像信号がＬＶＤＳレシーバー３６を経て入力し、前記したデジタル映像信号、垂直同期信号、水平同期信号を生成し、ドライバー４０に出力している。ドライバー４０は、信号線ドライバー回路とゲート線ドライバー回路の２種類があり、信号線ドライバー回路は水平同期信号、水平スタート信号、映像信号に基づいて液晶パネル４２の各信号線に対しアナログ映像信号を出力する。一方、ゲート線ドライバー回路は、垂直同期信号、垂直スタート信号に基づき液晶パネル４２のゲート線にゲート信号を出力する。
【００２０】
無線ＬＡＮカード２２は、インターフェース４４、無線ＬＡＮ制御部４６、ＲＦ部４８とから構成され、情報処理部１８から出力された通信用のデータをインターフェース４４を介して無線ＬＡＮ制御部４６が取得し、ＲＦ部４８を介してアンテナ２６から出力する。この場合に、無線ＬＡＮ制御部４６は、通信環境の良好なアンテナ２６を１つ選択して通信するものであり、また、その通信状態に応じて通信に使用するチャネルを変更する。また、アンテナ２６から受信したデータは無線ＬＡＮ制御部４６を介して情報処理部１８に送られる。
【００２１】
（３）通信処理の内容
次に、無線ＬＡＮを通じてデータの転送を行っているときの通信処理を図３のフローチャートに基づいて説明する。
【００２２】
ステップ１において、情報処理部１８は、無線ＬＡＮカード２２からチャネルの周波数に関するパラメータ（通信情報）を取得する。この取得のタイミングは、無線ＬＡＮカード２２が、チャネルを変更したときに出力するか、または、情報処理部１８が所定時間毎（例えば、１秒毎）に前記チャネルに関するパラメータを取得する。このチャネルは、図６の表に示すように、例えば、ＩＥＥＥ８０２．１１ｂの規格においては、１チャンネル〜１４チャンネルまで存在し、例えば、チャネル番号１の場合には、中心周波数が２，４１２ＭＨｚとなっている。
【００２３】
ステップ２において、情報処理部１８は、グラフィックコントローラ２０から、液晶表示装置２４に出力している映像信号の基準周波数となるクロック信号に関するパラメータを取得する。例えば、６５ＭＨｚである。
【００２４】
ステップ３において、取得した映像信号のクロック信号の高調波、即ち、クロック信号の周波数の整数倍の周波数が、無線ＬＡＮで使用しているチャネルの周波数が一致しているか否かを判断する。このように判断する理由は、図４に示すように、チャンネル１の中心周波数が２４１２ＭＨｚであり、映像信号の３７倍の高調波が２４０５ＭＨｚであると、その周波数の差が７ＭＨｚしかないため、互いに干渉を起こし、通信の品質を落とすこととなる。特に、液晶表示装置２４の裏面に２個のアンテナ２６，２６が配置され、Ｉ／Ｆケーブル２８も液晶表示装置２４の裏面側を通っているため、この干渉が大きくなり影響が出やすい。
【００２５】
上記判断によって、周波数が一致しているときは、干渉が生じるとし、情報処理部１８は周波数変更信号をグラフィックコントローラ２０に出力する。グラフィックコントローラ２０では、映像信号の周波数を図５に示すように６５ＭＨｚから６５．５ＭＨｚへずらすと、３７倍の高調波は２４０５ＭＨｚから２４２３ＭＨｚにずれる。これにより、周波数が重なるのを防止することができその品質を維持することができる。この変更する周波数は、クロック信号において０．１ＭＨｚ〜２．０ＭＨｚ程度でよい。なお、この場合にはクロック信号の周波数のみならず、映像信号の周波数もずらす。
【００２６】
また、上記判断によって、これら周波数が一致していない場合には、上記品質の影響が無いとして、現在のクロック信号で映像信号を処理する。
【００２７】
以上により、映像信号の周波数をずらすことにより、無線ＬＡＮのチャネルとの干渉を回避することができ、通信の品質を保持することができ、また、転送速度も落ちることがない。
【００２８】
なお、上記実施形態では通信装置１０としてノートＰＣを用いて使用したが、これ以外の無線ＬＡＮを用いた通信装置であっても本発明を適用することができる。
【図面の簡単な説明】
【００２９】
【図１】本発明の一実施形態を示す通信装置のブロック図である。
【図２】同じく通信装置の斜視図である。
【図３】通信処理のフローチャートである。
【図４】映像信号の周波数と無線ＬＡＮのチャネルの周波数が重なったときのグラフである。
【図５】映像信号の周波数の高調波と無線ＬＡＮ通信のチャネルをずらしたときのグラフである。
【図６】無線ＬＡＮのチャネルを示す表である。
【符号の説明】
【００３０】
１０  通信装置
１２  本体
１４  蓋
１６  キーボード
１８  情報処理部
２０  グラフィックコントローラ
２２  無線ＬＡＮカード
２４  液晶表示装置
２６  アンテナ
２８  Ｉ／Ｆケーブル
【図１】
2007043246.tif 000003
【図２】
2007043246.tif 000004
【図３】
2007043246.tif 000005
【図４】
2007043246.tif 000006
【図５】
2007043246.tif 000007
【図６】
2007043246.tif 000008